(57)【要約】【課題】送風式の薬剤放散器の放散器本体を単純な形状として使用時に十分な装飾効果が得られるようにした送風式の薬剤放散装置とする。【解決手段】送風式の薬剤放散器２を取付けるための薬剤放散器取付部１ａと、この薬剤放散器取付部１ａの周囲に設けられ装飾物３を取付けるための装飾物取付部１ｂとを有する装飾物取付具１と、放散器本体２０内に設けた送風機２１と薬剤２２を備え、その送風機２１を駆動することで吸込口２８から空気を吸い込んで薬剤２２を通して放出口２７から放出する送風式の薬剤放散器２から成る送風式の薬剤放散装置で、使用時には放散器本体２０を薬剤放散器取付部１ａに取付けると共に、装飾物取付部１ｂに装飾物３を取付け、放散器本体２０の周囲を装飾物３で囲んで十分な装飾効果が得られる。【選択図】図３
2007195786.tif 000002
【特許請求の範囲】
【請求項１】
薬剤放散器取付部１ａと、この薬剤放散器取付部１ａの周囲に、周方向に間隔を置いた複数又は、周方向に連続した装飾物取付部１ｂを備えた装飾物取付具１と、
前記薬剤放散器取付部１ａに取付けた送風式の薬剤放散器２を有し、
前記送風式の薬剤放散器２は、吸込口２８と放出口２７を備えた放散器本体２０内に、送風機２１と薬剤２２を設け、その送風機２１を駆動することで吸込口２８から空気を吸い込み、薬剤を含有した空気を放出口２７から放出するものとし、
この放散器本体２０を前記薬剤放散器取付部１ａに取付けて使用するようにしたことを特徴とする送風式の薬剤放散装置。
【請求項２】
装飾物取付具１は、容器形状の取付具本体１２を有し、この取付具本体１２の内部を薬剤放散器取付部１ａとすると共に、その取付具本体１２の外部に装飾物取付部１ｂが形成され、
前記取付具本体１２と放散器本体２０との間に、吸込口２８を外部に連通する空気導入通路と、放出口２７を外部に連通する薬剤放出通路をそれぞれ形成した請求項１記載の送風式の薬剤放散装置。
【請求項３】
取付具本体１２の内部の薬剤放散器取付部１ａと、外部の装飾物取付部１ｂは区画され、その薬剤放散器取付部１ａを薬剤放出通路として薬剤を含有した空気は薬剤放散器取付部１ａにのみ流通するようにし、
前記取付具本体１２における装飾物取付部１ｂ以外の部分に空気導入口１４を形成し、この空気導入口１４を吸込口２８に連通して空気導入通路を形成するようにした請求項２記載の送風式の薬剤放散装置。
【請求項４】
装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の下面に吸込口２８が形成され、かつ周面に放出口２７が形成され、
前記底面板１１に、前記吸込口２８に連通した空気導入口１４を形成して空気導入通路とし、
前記筒体１６に放出口２７を装飾物取付部１ｂに連通する空気流通部１６ａを形成して装飾物取付部１ｂを薬剤放出通路とした請求項１記載の送風式の薬剤放散装置。
【請求項５】
装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の下面に吸込口２８が形成され、かつ周面に放出口２７が形成され、
前記底面板１１に吸込口２８に連通した空気導入口１４を形成して空気導入通路とし、
前記筒体１６と放散器本体２０との間に縦空間１ｃを形成し、この縦空間１ｃを放出口２７に連通して薬剤放出通路とした請求項１記載の送風式の薬剤放散装置。
【請求項６】
装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の上面に吸込口２８が形成され、かつ周面に放出口２７が形成され、
前記筒体１６を上面が開口したものとして前記薬剤放散器取付部１ａを空気導入通路とし、
前記筒体１６に放出口２７を装飾物取付部１ｂに連通する空気流通部１６ａを形成して装飾物取付部１ｂを薬剤放出通路とした請求項１記載の送風式の薬剤放散装置。
【請求項７】
装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の上面に吸込口２８が形成され、かつ下面に放出口２７が形成され、
前記筒体１６を上面が開口したものとして前記薬剤放散器取付部１ａを空気導入通路とし、
前記底面板に、前記放出口２７を外部に連通する放出用開口１１ａを形成して薬剤放出通路とした請求項１記載の送風式の薬剤放散装置。
【請求項８】
装飾物取付具１は、容器形状の取付具本体１２を有し、この取付具本体１２の内部を薬剤放散器取付部１ａとすると共に、その取付具本体１２の外部に装飾物取付部１ｂが形成され、
前記取付具本体１２の薬剤放散器取付部１ａの上部を開口すると共に、放散器本体２０の上面に吸込口２８を形成して薬剤放散器取付部１ａを空気導入通路とし、
前記取付具本体１２における装飾物取付部１ｂ以外の部分に放出用開口１１ａを形成し、この放出用開口１１ａを放出口２７に連通して薬剤放出通路を形成するようにした請求項１記載の送風式の薬剤放散装置。
【発明の詳細な説明】
【技術分野】
【０００１】
本発明は、送風式の薬剤放散器と装飾物取付具を組み合わせた送風式の薬剤放散装置に関する。
【背景技術】
【０００２】
居住空間において、その空間の芳香、消臭、害虫防除などの目的で使用される送風式の薬剤放散器が知られている。
例えば、特許文献１に開示されたように、放散器本体内にファンと薬剤を設け、そのファンを駆動することで薬剤を含む空気を大気に放散するようにした送風式の薬剤放散器が知られている。
【０００３】
【特許文献１】特開２００３−１０２３６１号公報
【発明の開示】
【発明が解決しようとする課題】
【０００４】
快適な居住空間を得るには、芳香等の薬剤効果を得ると共に、その空間に装飾効果を得て雰囲気を変えることも重要なことである。
しかし、従来の送風式の薬剤放散器は機械的な外観を有するもので、その空間に不釣り合いで違和感を否めないばかりか、前述の装飾効果が期待できない。
このようなことから、前述の薬剤放散器の放散器本体の形状を変えたり色を変えたり、カラーデザインを付与するなどして前述の装飾効果を得ようとしているが、このようにしただけでは、薬剤放散器自身の雰囲気を改良することはできても空間としての雰囲気を変えるに不充分で、十分な装飾効果が得られない。
これらのことから、放散器本体自体に装飾物を取付けて装飾効果を得ることが考えられるが、そのようにすると放散器本体の形状が複雑化して、その製作金型は高精度化、大型化になりやすい。また製作工程が多くなりやすい。
【０００５】
本発明の目的は、送風式の薬剤放散器の放散器本体を単純な形状として使用時に十分な装飾効果が得られるようにした送風式の薬剤放散装置を提供することである。
【課題を解決するための手段】
【０００６】
第１の発明は、薬剤放散器取付部１ａと、この薬剤放散器取付部１ａの周囲に、周方向に間隔を置いた複数又は、周方向に連続した装飾物取付部１ｂを備えた装飾物取付具１と、
前記薬剤放散器取付部１ａに取付けた送風式の薬剤放散器２を有し、
前記送風式の薬剤放散器２は、吸込口２８と放出口２７を備えた放散器本体２０内に、送風機２１と薬剤２２を設け、その送風機２１を駆動することで吸込口２８から空気を吸い込み、薬剤を含有した空気を放出口２７から放出するものとし、
この放散器本体２０を前記薬剤放散器取付部１ａに取付けて使用するようにしたことを特徴とする送風式の薬剤放散装置である。
【０００７】
第２の発明は、第１の発明において、装飾物取付具１は、容器形状の取付具本体１２を有し、この取付具本体１２の内部を薬剤放散器取付部１ａとすると共に、その取付具本体１２の外部に装飾物取付部１ｂが形成され、
前記取付具本体１２と放散器本体２０との間に、吸込口２８を外部に連通する空気導入通路と、放出口２７を外部に連通する薬剤放出通路をそれぞれ形成した送風式の薬剤放散装置である。
【０００８】
第３の発明は、第２の発明において、取付具本体１２の内部の薬剤放散器取付部１ａと、外部の装飾物取付部１ｂは区画され、その薬剤放散器取付部１ａを薬剤放出通路として薬剤を含有した空気は薬剤放散器取付部１ａにのみ流通するようにし、
前記取付具本体１２における装飾物取付部１ｂ以外の部分に空気導入口１４を形成し、この空気導入口１４を吸込口２８に連通して空気導入通路を形成するようにした送風式の薬剤放散装置である。
【０００９】
第４の発明は、第１の発明において、装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の下面に吸込口２８が形成され、かつ周面に放出口２７が形成され、
前記底面板１１に、前記吸込口２８に連通した空気導入口１４を形成して空気導入通路とし、
前記筒体１６に放出口２７を装飾物取付部１ｂに連通する空気流通部１６ａを形成して装飾物取付部１ｂを薬剤放出通路とした送風式の薬剤放散装置である。
【００１０】
第５の発明は、第１の発明において、装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の下面に吸込口２８が形成され、かつ周面に放出口２７が形成され、
前記底面板１１に吸込口２８に連通した空気導入口１４を形成して空気導入通路とし、
前記筒体１６と放散器本体２０との間に縦空間１ｃを形成し、この縦空間１ｃを放出口２７に連通して薬剤放出通路とした送風式の薬剤放散装置である。
【００１１】
第６の発明は、第１の発明において、装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の上面に吸込口２８が形成され、かつ周面に放出口２７が形成され、
前記筒体１６を上面が開口したものとして前記薬剤放散器取付部１ａを空気導入通路とし、
前記筒体１６に放出口２７を装飾物取付部１ｂに連通する空気流通部１６ａを形成して装飾物取付部１ｂを薬剤放出通路とした送風式の薬剤放散装置である。
【００１２】
第７の発明は、第１の発明において、装飾物取付具１は、周面板１０と底面板１１と筒体１６を備え、その筒体１６の内部を薬剤放散器取付部１ａとすると共に、その筒体１６と周面板１０との間を装飾物取付部１ｂとし、
放散器本体２０の上面に吸込口２８が形成され、かつ下面に放出口２７が形成され、
前記筒体１６を上面が開口したものとして前記薬剤放散器取付部１ａを空気導入通路とし、
前記底面板に、前記放出口２７を外部に連通する放出用開口１１ａを形成して薬剤放出通路とした送風式の薬剤放散装置である。
【００１３】
第８の発明は、第１の発明において、装飾物取付具１は、容器形状の取付具本体１２を有し、この取付具本体１２の内部を薬剤放散器取付部１ａとすると共に、その取付具本体１２の外部に装飾物取付部１ｂが形成され、
前記取付具本体１２の薬剤放散器取付部１ａの上部を開口すると共に、放散器本体２０の上面に吸込口２８を形成して薬剤放散器取付部１ａを空気導入通路とし、
前記取付具本体１２における装飾物取付部１ｂ以外の部分に放出用開口１１ａを形成し、この放出用開口１１ａを放出口２７に連通して薬剤放出通路を形成するようにした送風式の薬剤放散装置である。
【発明の効果】
【００１４】
第１の発明によれば、装飾物取付具１の薬剤放散器取付部１ａに送風式の薬剤放散器２を取付けると共に、装飾物取付部１ｂに装飾物３を取付けて使用することで、送風式の薬剤放散器２の周囲に装飾物３が存在するから放散器本体２０に何らかの装飾手段を施すことなしに、使用時に十分な装飾効果が得られる。
したがって、送風式の薬剤放散器２の放散器本体２０を単純な形状として使用時に十分な装飾効果が得られる。
【００１５】
第２の発明によれば、空気導入通路から吸込口２８に空気が流れると共に、放出口２７から放出された空気は薬剤放出通路を通って大気に放出されるので、送風機２１を駆動することで薬剤を含む空気を大気に放出することができる。
【００１６】
第３の発明によれば、吸込口２８に吸い込まれる空気及び、放出口２７から放出される薬剤を含有した空気は、装飾物取付部１ｂを流れることがないので、この装飾物取付部１ｂに取付けた装飾物によって空気の流れが阻害されることがない。
したがって、薬剤を効率良く揮散して大気にスムーズに放散することができる。
【００１７】
第４の発明によれば、薬剤を含有した空気は装飾物取付部１ｂを通って大気に放出され、底面板１１の空気導入口１４から吸込口２８に空気が吸い込みされるので、薬剤放散器取付部１ａには空気が流通しない。
したがって、薬剤放散器取付部１ａを装飾物の取付けに利用することができる。
【００１８】
第５の発明によれば、薬剤を含有した空気は筒体１６と放散器本体２０との間を通って大気に放出されるので、装飾物取付部１ｂに取付けた装飾物で、その空気の流れが邪魔されることがなく、薬剤を含有した空気をスムーズに大気に放散することができる。
【００１９】
第６、第７、第８の発明によれば、筒体１６内を通して吸込口２８に空気を吸い込みするので、スムーズに空気を吸い込みして薬剤をスムーズに揮散することが可能であるから、大気に薬剤をスムーズに放散することが可能である。
【発明を実施するための最良の形態】
【００２０】
本発明の第１の実施の形態を図１〜図３に基づいて説明する。
装飾物取付具１と、送風式の薬剤放散器２で送風式の薬剤放散装置としてある。
前記装飾物取付具１は、薬剤放散器取付部１ａと、この薬剤放散器取付部１ａの周囲に、周方向に間隔を置いた複数又は周方向に連続した装飾物取付部１ｂを備えている。
この薬剤放散器取付部１ａに送風式の薬剤放散器２を取付けると共に、装飾物取付部１ｂに装飾物３を取付けることで、送風式の薬剤放散器２の周囲に装飾物３が見えるから、十分な装飾効果が得られる。
【００２１】
前記装飾物取付具１は、周面板１０と底面板１１で上面が開口した容器形状の取付具本体１２を備え、この取付具本体１２の内部が薬剤放散器取付部１ａである。
前記周面板１０の外周面には横断面ほぼ半円形状の縦リブ１３が周方向に間隔を置いて複数一体的に設けてあり、その各縦リブ１３と周面板１０の外周面とで装飾物取付部１ｂを形成している。つまり、取付具本体１２の外部に装飾物取付部１ｂが形成してある。
この装飾物取付部１ｂと前記薬剤放散器取付部１ａは区画している。つまり、相互に空気が流通しない。
前記周面板１０の上部寄りは真円形状で、下部寄りはテーパ形状で、その境目部分１０ａが支持部である。
この周面板１０の下部寄りにおける前記隣接した縦リブ１３間（つまり、装飾物取付部１ｂ以外の部分）は切欠きされて空気導入口１４としてある。
【００２２】
次に、前記送風式の薬剤放散器２について説明する。
図３に示すように、薬剤放散器２は放散器本体２０内に送風機２１と薬剤２２を設けたものである。
前記放散器本体２０は、上面２０ａと、周面２０ｂで下面２０ｃが開口した箱形状で、送風機収納室２３と薬剤収納室２４と電池収納室２５を有し、送風機収納室２３と薬剤収納室２４は開口部２６で連通している。
前記上面２０ａは閉塞され、周面２０ｂには送風機収納室２３に開口した放出口２７が形成してある。前記薬剤収納室２４は下面２０ｃに開口し、下面２０ｃから薬剤２２を挿入できるようにしていると共に、下面２０ｃに吸込口２８を形成している。
【００２３】
前記薬剤２２は、薬剤容器３０に薬剤含浸体３１を入れ、押え部材３２で保持したもので、その薬剤容器３０の通気部３０ａ、押え部材３２の通気部３２ａを空気が流れることで薬剤含浸体３１に空気が流通する。
前記薬剤２２は薬剤収納室２４内に挿入され、放散器本体２０の周面２０ｂに着脱自在に取付けした保持リング２９で抜け落ちないように保持している。
【００２４】
前記放散器本体２０を周面板１０内に挿入すると、保持リング２９が境目部分１０ａに接して保持される。
これによって、空気導入口１４が保持リング２９の開口部２９ａを通って吸込口２８に連通し、空気導入通路としてある。前記放出口２７は周面板１０の内周面と放散器本体２０の周面２０ｂとの間の縦空間１ｃを通って周面板１０より外部に連通する。
この縦空間１ｃが薬剤放出通路である。
【００２５】
このようであるから、送風機２１を駆動することで、空気が空気導入口１４、保持リング２９の開口部２９ａ、吸込口２８、押え部材３２の通気部３２ａ、薬剤含浸体３１、薬剤容器３０の通気部３０ａを通って吸い込みされ、放出口２７から薬剤とともに大気に放出される。
【００２６】
また、周面板１０の内周面（取付具本体１２の内部）に沿って薬剤を含有した空気が流れると共に、その周面板１０の外周面（取付具本体１２の外部）に装飾物取付部１ｂが設けてあるので、その装飾物取付部１ｂに薬剤を含有した空気が流れることがなく、その空気の流れが装飾物取付部１ｂによって阻害されることがないので、薬剤を含有した空気はスムーズに大気に放出される。
また、周面板１０の隣接した縦リブ１３間の部分（つまり、取付具本体１２の装飾物取付部１ｂ以外の部分）に空気導入口１４が形成されているので、装飾物取付部１ｂに取付けた装飾物に邪魔されることなく空気がスムーズに導入され、薬剤２２に対して空気がスムーズに流通して薬剤が空気によって効率良く揮散する。
【００２７】
これらが相俟って、薬剤放散器２の周囲に装飾物３を設けて十分な装飾効果を得られるようにした状態で、薬剤を効率良く揮散して大気にスムーズに放散することができる。
【００２８】
前述の実施の形態において、装飾物取付部１ｂの底部は閉塞されているが、底部を開放しても良い。
また、装飾物取付部１ｂは周面板１０（取付具本体１２）の上下方向全長に亘って形成しても良い。また、その周面板１０の下部寄りに装飾物取付部１ｂを形成し、その上部にコ字状の支持片を設けても良い。このようにすれば長尺な装飾物３を倒れることなく取付けできる。
【００２９】
また、前述の装飾物取付部１ｂの数、大きさ、形状などは任意である。例えば、周方向に幅広い大きな装飾物取付部１ｂとしても良い。
また、縦リブ１３の代わりに連続した波形状に湾曲した筒状体を周面板１０の外周面に取付け、複数の装飾物取付部１ｂを形成しても良い。
また、前述のように装飾物３を挿入して取付けるポケット形状ではなく、装飾物３を引っ掛けて取付けるフック形状でも良い。
また、ポケット形状の装飾物取付部１ｂとフック形状の装飾物取付部１ｂを組み合わせて設けても良い。
【００３０】
また、吸込口２８に空気を導入するための空気導入口の形状、設ける位置などは任意である。例えば、容器本体１２の底面板１１を開口して空気導入口とする。
【００３１】
前述の実施の形態では、底面板１１と放散器本体２０の下面を離隔して両者の間に大きな空間部を形成したが、この空間部は設けずに放散器本体２０の下面を底面板１１に接するようにしても良い。
例えば、図４と図５に示すように取付具本体１２の底面板１１の中央部分を開口して空気導入口１４とし、その底面板１１に複数の支持片１５を設ける。好ましくは、放射状に設ける。
放散器本体２０の下面（保持リング２９）を支持片１５の上に載置して支持する。
この実施の形態では、縦リブ１３を周面板１０の周方向に幅広くして装飾物取付部１ｂを幅広い形状としてある。
【００３２】
次に、本発明の第２の実施の形態を説明する。
この実施の形態は、図６、図７に示すように、装飾物取付部１ｂが周方向に連続していること、薬剤を含有した空気が装飾物取付部１ｂを通って大気に放出すること、取付具本体１２が筒体１６を有することが前述の実施の形態と相違し、他の構成はほぼ同一である。
以下に具体構成を説明する。
前記周面板１０と底面板１１と、その周面板１０内部に底面板１１に接して設けた筒体１６で取付具本体１２としてある。
前記筒体１６の内部が薬剤放散器取付部１ａで、筒体１６の外周面と周面板１０の内周面との間が装飾物取付部１ｂである。
つまり、装飾物取付具１の取付具本体１２は、薬剤放散器取付部１ａの周囲に装飾物取付部１ｂを周方向に連続して有し、その薬剤放散器取付部１ａと装飾物取付部１ｂは区画している。
【００３３】
前記筒体１６には空気流通部１６ａが形成され、この空気流通部１６ａは放散器本体２０の放出口２７と連通している。
これによって、薬剤を含有した空気は放出口２７から空気流通部１６ａを通って装飾物取付部１ｂに流出し、その装飾物取付部１ｂから大気に放出される。つまり装飾物取付部１ｂが薬剤放出通路である。
前記底面板１１に空気導入口１４が形成してある。底面板１１におけるこの空気導入口１４の開口縁に複数の脚１７が一体的に設けてある。
この脚１７をテーブルなどの設置面に載置することで、底面板１１と接地面との間に隙間が生じ、その隙間から空気導入口１４に空気が流れる。なお、筒体１６の一部分を底面板１１よりも下方に突出し、その突出した部分を脚１７としても良い。
前記底面板１１の上面には位置決め用のリング状突起１８が設けてある。このリング状突起１８に筒体１６の外周面が嵌合することで筒体１６が位置決めされると共に、筒体１６が周方向に動くことがない。なお、このリング状突起１８に筒体１６の内周面を嵌合するようにしても良い。
送風式の薬剤放散器２は前述の第１の実施の形態と同様で、その放散器本体２０の周面が筒体１６に嵌め込みされると共に、その放散器本体２０の下面（保持リング２９）が底面板１１に接して保持される。
【００３４】
この実施の形態の装飾物取付具１は設置面に載置して使用されるが、索条などを用いて吊り下げて使用することもできる。
例えば、図７に示すように周面板１０に穴１０ｂを形成し、この穴１０ｂに索条を係止して吊り下げる。
【００３５】
前述の実施の形態においては、筒体１６は周面板１０と同一高さであるが、これに限ることはなく、周面板１０よりも高くても、低くても良い。
つまり、筒体１６の高さは、使用する装飾物の背丈、装飾物を外方に傾斜するように取付ける、装飾物を内方に傾斜するように取付けるなど、装飾物の大きさ、種類や、その装飾物の取付ける姿勢などで決められる。なお、この場合には放散器本体２０の高さも同時に決めることは勿論である。
また、筒体１６を周面板１０よりも高くした場合には、その筒体１６の上部に突起部、フックなどを設けることで、装飾物を引っ掛けて取付けることができる。
【００３６】
また、図７に仮想線で示すように筒体１６の上部に受容体（受け皿）１９を嵌合して取付け、この受容体１９に装飾物３を取付けることもできる。
このようにすれば、装飾物３として盛り花形状などの幅広く背丈の低いものを取付けできる。
なお、この実施の形態では薬剤を含む空気は装飾物取付部１ｂを通って大気に放散され、筒体１６の内部を通って大気に放散されないので、前述のように筒体１６の上部に受容体１９を取付けて閉塞しても、何ら問題はない。
【００３７】
前述の実施の形態においては、筒体１６で放散器本体２０を支持しても良い。
また、筒体１６の空気流通部１６ａをスリット形状としても良い。
例えば、図８と図９に示すように筒体１６を上部が大径で下部が小径のテーパ形状とし、底面板１１の空気導入口１４（孔）に嵌合して下方に突出する。その突出した部分に切欠部１６ｂを形成して残存した部分を脚とする。
送風式の薬剤放散器２を筒体１６内に挿入すると、放散器本体２０の下部外周縁２０ｄが筒体１６の内周面に接して支持する。なお、支持しづらい場合には筒体１６の内周面にリング状の段差部を加工すれば良い。
前記空気流通部１６ａをスリット形状とし、その下部寄りを放出口２７と対向させる。
このようにすれば、空気流通部１６ａに装飾物３の取付部分、例えば造花等の幹部分を挟んで取付けることで、向きを調節したり、取付け強度を強化することもできる。
前記送風式の薬剤放散器２は前述したものと同様であるので、図８においては外形形状のみを図示してある。
【００３８】
前述の各実施の形態では、取付具本体１２の下部（周面板１０の下部、底面板１１）から空気を導入して吸込口２８に流れ、放出口２７からの薬剤を含む空気は薬剤放散器取付部１ａ又は装飾物取付部１ｂより大気に放出するようにしたが、装飾物取付部１ｂを通して空気を導入すると共に、薬剤を含有した空気を装飾物取付部１ｂを通して大気に放出するようにしても良い。
例えば、図１０に示すように筒体１６を底板１６ｃを有する形状とし、その底板１６ｃの上面に支持片１６ｄを十文字状に設ける。この支持片１６ｄ上に放散器本体２０の下面を載置し、両者の間に隙間を形成する。
前記筒体１６に小孔１６ｅを周方向、上下方向に間隔を置いて多数形成し、前記隙間と対向した小孔１６ｅを前述の空気導入口１４として吸込口２８に空気を導入できるようにする。
前記放出口２７と対向した小孔１６ｅを空気流通部１６ａとして薬剤を含有した空気が流通するようにする。
【００３９】
このようにすれば、装飾物取付部１ｂを通して空気を吸い込みできるし、薬剤を含有した空気を装飾物取付部１ｂを通して大気に放出できる。
また、筒体１６に形成した小孔１６ｅを造花などの長尺の装飾物を差し込み穴として利用することもできる。
前記支持片１６ｄは十文字状に限ることはなく、底板１６ｃと放散器本体２０の下面との間に小孔１６ｅに連通した隙間を形成するものであれば良い。
【００４０】
次に、第３の実施の形態を説明する。この実施の形態は、前記装飾物取付具１の平面形状と前記放散器本体２０の平面形状を異ならせることで、その装飾物取付具１の薬剤放散器取付部１ａと放散器本体２０との間に、前述の縦空間１ｃ、つまり薬剤放出通路を形成するようにしたものである。
【００４１】
例えば、図１１と図１２に示すように、周面板１０と筒体１６を平面形状が矩形として装飾物取付具１（取付具本体１２）の平面形状を矩形とする。
これによって、薬剤放散器取付部１ａと装飾物取付部１ｂを平面矩形状とすると共に、底面板１１の開口を矩形として空気導入口１４を平面矩形状とする。
送風式の薬剤放散装置２の放散器本体２０を平面形状が円形とし、その下面が空気導入口１４の周縁に接すると共に、筒体１６のコーナー部と放散器本体２０の外周面との間に縦空間１ｃが生じるようにし、その縦空間１ｃを薬剤放散通路とする。
【００４２】
なお、図１１、図１２において周面板１０を平面形状が円形として、周面板１０の内周面と筒体１６の外周面との間に４つの装飾物取付部１ｂを形成するようにしても良い。
また、図示は省略するが周面板１０と筒体１６を平面形状が円形とし、放散器本体２０を平面形状が矩形状としても良い。
【００４３】
また、図１３、図１４に示すように、周面板１０の平面形状をほぼ三角形状、筒体１６の平面形状を円形状、底面板１１の開口（空気導入口１４）を平面形状が円形状とし、放散器本体２０の平面形状を矩形状として３つの装飾物取付部１ｂを有すると共に、４つの縦空間１ｃを有するものとする。
この場合には、周面板１０を筒体１６よりも上方に突出し、その突出した部分に穴１０ｂを形成し、その穴を利用して縦面に吊り下げて取付けて使用するようにできる。なお、縦面に取付けて使用するのであれば、前述の形状に限ることはなく、種々の形状が考えられる。
【００４４】
次に、本発明の第４の実施の形態を説明する。
この実施の形態は、装飾物取付具１の薬剤放散器取付部１ａを通して吸込口２８に空気を吸い込むようにして、空気導入口１４を薬剤放散器取付部１ａとしたもので、このようにすれば前述の各実施の形態の薬剤放散器２を上下反転して取付けるようにできる。
具体的には、図１５、図１６に示すように放散器本体２０の上面を開口して吸込口２８とし、筒体１６内部（薬剤放散器取付部１ａ）を空気導入口１４とする。
前記放散器本体２０の下部寄りに放出口２７を形成して筒体１６の空気流通部１６ａと連通させ、装飾物取付部１ｂを縦空間１ｃとして薬剤放出通路とし、薬剤を含有した空気を装飾物取付部１ｂを通って大気に放出するようにしてある。
例えば、前述した薬剤放散器２を上下反転して取付ける。この場合には保持リング２９がなくとも良い。
【００４５】
この実施の形態においては、取付具本体１２の底部から薬剤を含有した空気を大気に放出するようにしても良い。
例えば、図１７に示すように、底面板１１に放出用開口１１ａを形成する。放散器本体２０の下面に放出口２７を形成し、その放出口２７を前記放出用開口１１ａに連通し、薬剤を含有した空気を底面板１１から大気に放出するようにする。
【００４６】
また、前述の図１〜図３に示す装飾物取付具１を利用する場合には、図１８に示すように、薬剤放散器取付部１ａの上部を開口して空気導入口とすると共に、放散器本体２０の上面に吸込口２８を形成して、薬剤放散器取付部１ａを通して空気を導入するようにすることで、その薬剤放散器取付部１ａを空気導入通路とする。
前記放散器本体２０の下面に放出口２７を形成し、周面板１０の下部寄りにおける隣接した縦リブ１３間（つまり、装飾物取付部１ｂ以外の部分）を切欠いて放出用開口１１ａとする。
この放出用開口１１ａと前記放出口２７を連通して薬剤を含有した空気を大気に放出するようにして、薬剤放出通路とする。
また、前記の放出口２７を放散器本体２０の周面に形成したものでも良い。例えば、図示していないが前述の図１１，１２及び図１３，１４に示す装飾物取付具１で説明したように、筒体１６と放散器本体２０の外周面との間に縦空間１ｃが生じるようにした形態を利用して、その放出口２７を前記放出用開口１１ａと縦空間１ｃに連通し、薬剤を含有した空気を底面板１１及び縦空間から大気に放出するようにできる。
【００４７】
次に、本発明の第５の実施の形態を説明する。
この実施の形態は装飾物取付具１の薬剤放散器取付部１ａが下面に開口し、薬剤放散器を下面から挿入して取付けるようにした点が相違し、他の構成は同様である。
この場合にも前述の空気導入通路と薬剤放出通路は前述の実施の形態のように形成することができる。
例えば、図１９に示すように、装飾物取付具１の筒体１６を上面が閉塞し、下面が開口した筒形状とし、その下面の開口から薬剤放散器２を挿入して取付けるようにして筒体１６の内部を薬剤放散器取付部１ａとする。
前記筒体１６の下端部を底板１１よりも下方に突出し、その突出した部分に切欠部を形成して空気導入口１４とする。
前記筒体１６の上部に空気流通部１６ａを形成し、この空気流通部１６ａが放出口２７と連通するようにして薬剤を含有した空気を大気に放出する薬剤放出通路とする。
【００４８】
本発明に用いられる装飾物として、花、観葉植物、草花、などの人工花、草、木や犬、猫、鳥、魚、蝶、などの創作動物、昆虫や果実、乗物、人形、ぬいぐるみ、写真、など見て美しい物、楽しいもの、癒やすもの、好きなもの、などが挙げられる。
例えば、造花例としては壁掛け調、花輪調、コサージュ調、ブーケ緒、髪飾り調、寄せ花調、花瓶等挿し花調、一輪挿し調、枝垂調、などのオリジナル造花が挙げられる。
【００４９】
本発明の薬剤含浸体３１の材質として無機質及び有機質の成形材料から成形されたものとしては、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤含浸体３１を送風機のファンに保持しても良い。
また、薬剤として前記のように薬効成分を含浸体に含浸した薬剤含浸体の他に、薬効成分を適当な溶剤、例えばノルマルパラフィン、イソパラフィン、ナフテン系炭化水素等の石油系溶剤に溶解した油性薬剤、又は水、界面活性剤等を用いて可溶化させた水性薬液を収容した薬剤ボトルでも良い。
【図面の簡単な説明】
【００５０】
【図１】本発明の第１の実施の形態を示す正面図である。
【図２】本発明の第１の実施の形態を示す平面図である。
【図３】図２のＡ−Ａ断面図である。
【図４】装飾物取付具の他の形態を示す平面図である。
【図５】薬剤放散器を取付けた状態の断面図である。
【図６】本発明の第２の実施の形態を示す平面図である。
【図７】図６のＢ−Ｂ断面図である。
【図８】他の形態の筒体を用いた状態の断面図である。
【図９】筒体の斜視図である。
【図１０】他の形態の筒体を用いた状態の断面図である。
【図１１】本発明の第３の実施の形態を示す平面図である。
【図１２】図１１のＣ−Ｃ断面図である。
【図１３】他の形態の取付具本体を用いた状態の平面図である。
【図１４】図１３のＤ−Ｄ断面図である。
【図１５】本発明の第４の実施の形態を示す平面図である。
【図１６】図１５のＥ−Ｅ断面図である。
【図１７】薬剤放出通路が異なる形態を示す断面図である。
【図１８】取付具本体の形態が異なる断面図である。
【図１９】本発明の第５の実施の形態を示す断面図である。
【符号の説明】
【００５１】
１…装飾物取付具、１ａ…薬剤放散器取付部、１ｂ…装飾物取付部、１ｃ…縦空間、２…送風式の薬剤放散器、３…装飾物、１０…周面板、１１…底面板、１２…取付具本体、１４…空気導入口、１６…筒体、２０…放散器本体、２１…送風機、２２…薬剤、２７…放出口、２８…吸込口。
【図１】
2007195786.tif 000003
【図２】
2007195786.tif 000004
【図３】
2007195786.tif 000005
【図４】
2007195786.tif 000006
【図５】
2007195786.tif 000007
【図６】
2007195786.tif 000008
【図７】
2007195786.tif 000009
【図８】
2007195786.tif 000010
【図９】
2007195786.tif 000011
【図１０】
2007195786.tif 000012
【図１１】
2007195786.tif 000013
【図１２】
2007195786.tif 000014
【図１３】
2007195786.tif 000015
【図１４】
2007195786.tif 000016
【図１５】
2007195786.tif 000017
【図１６】
2007195786.tif 000018
【図１７】
2007195786.tif 000019
【図１８】
2007195786.tif 000020
【図１９】
2007195786.tif 000021